(57)【要約】【課題】携帯電話装置およびハンズフリー装置のうち、着信報知をする必要がある装置のみに着信報知可能にする。【解決手段】通話処理部１３が通話着信を受け付けたとき、ロックモード設定部１６によって携帯電話装置１１がロック状態に設定されていれば、通信部１５から外部着信応答機器３１に通話着信に応答させるための制御信号を送信するようにする。【選択図】図１
2008118510.tif 000002
【特許請求の範囲】
【請求項１】
外部着信応答機器に接続された電話装置であって、
当該電話装置への通話着信を受け付ける通話処理部と、
前記外部着信応答機器と通信する通信部と、
当該電話装置をロック状態またはロック解除状態に設定するロックモード設定部と、を備え、
前記通信部は、前記通話処理部が通話着信を受け付けたとき、前記ロックモード設定部によって当該電話装置がロック状態に設定されていれば、前記外部着信応答機器に前記通話着信に応答させるための制御信号を送信する、
電話装置。
【請求項２】
請求項１記載の電話装置であって、
当該電話装置への通話着信を受け付けたことを報知する報知部を備え、
前記報知部は、前記通話処理部が通話着信を受け付けたとき、前記ロックモード設定部によって当該電話装置がロック解除状態に設定されていれば、前記通話着信を受け付けたことを報知する、
電話装置。
【請求項３】
請求項１記載の電話装置であって、
当該電話装置への通話着信を受け付けたことを報知する報知部を備え、
前記報知部は、前記通話処理部が通話着信を受け付けたとき、前記ロックモード設定部によって当該電話装置がロック状態に設定されていれば、前記通話着信を受け付けたことを報知し、
前記通話処理部は、前記ロックモード設定部によって当該電話装置がロック解除状態に設定された後に通話着信に対する応答処理を実行する、
電話装置。
【請求項４】
請求項１から３のいずれか１項に記載の電話装置であって、
音情報を音出力する音出力部を備え、
前記通話処理部は、前記外部着信応答機器に応答させた前記通話着信により特定される音情報を前記音出力部に出力し、
前記音出力部は、前記通話処理部により入力した前記音情報を出力する、
電話装置。
【請求項５】
請求項１から４のいずれか１項に記載の電話装置と通信する通信部と、
前記電話装置への通話着信を当該電話装置が受け付けたことを報知する報知部と、
前記報知部による報知を制御する制御部と、を備え、
前記制御部は、前記通信部が前記電話装置から前記制御信号を受信すると、前記報知部に報知させる、
外部着信応答機器。
【発明の詳細な説明】
【技術分野】
【０００１】
本発明は、ハンズフリー装置に接続され、そのハンズフリー装置による音声通話が可能な電話装置に関する。
【背景技術】
【０００２】
従来から、車室内において、携帯電話機をハンズフリー装置に装着することによって、他の電話機と携帯電話機との間の通話を、ハンズフリー装置を用いるハンズフリー通話により行うことが可能な通話システムが提供されている。
【０００３】
また、近年のハンズフリー装置の中には、Ｂｌｕｅｔｏｏｔｈなどの近距離無線通信により当該ハンズフリー装置に接続された携帯電話装置に着信があったとき、ハンズフリー装置に備えられた着信応答ボタンを押下すると、ハンズフリー装置によって音声通話を開始できる通信システムがある。
【０００４】
この通信システムでは、携帯電話機が、入力した送話音声を他の電話機に送信すると共に他の電話機から受信した受話音声を出力しているときに、携帯電話機と一体または別体のハンズフリー装置に備えられた着信応答ボタンが押されると、ハンズフリー装置は次の処理を行う。すなわち、ハンズフリー装置は、当該ハンズフリー装置が入力した送話音声を携帯電話機に出力して携帯電話機に他の電話機へ送信させると共に、他の電話機から携帯電話機が受信した受話音声を携帯電話機から入力して当該ハンズフリー装置が出力する（例えば、特許文献１参照）。
【特許文献１】特開２００６−０８１２２０号公報
【発明の開示】
【発明が解決しようとする課題】
【０００５】
しかしながら、このような従来の通信システムにあっては、携帯電話装置に着信があったとき、その着信に対して応答する利用者は多くの場合、いずれか一方の装置によって応答しようとするものであるにも関わらず、携帯電話装置とハンズフリー装置の両方に着信報知（例えば、音出力、バイブレーション、ＬＥＤの点灯・点滅など）がなされる。つまり、その利用者が携帯電話装置とハンズフリー装置のどちらの装置を利用して応答しようとしているのかを識別することができない携帯電話装置は、携帯電話装置とハンズフリー装置の両方に着信報知をせざるを得ず、このため利用者が利用していない他方の装置には不要な着信報知がなされることになる。
【０００６】
本発明は、上記事情に鑑みてなされたもので、電話装置およびハンズフリー装置のうち、着信報知をする必要がある装置のみに着信報知を行わせることができる電話装置を提供することを目的とする。
【課題を解決するための手段】
【０００７】
前記目的達成のために、本発明にかかる電話装置は、外部着信応答機器に接続された電話装置であって、当該電話装置への通話着信を受け付ける通話処理部と、前記外部着信応答機器と通信する通信部と、当該電話装置をロック状態またはロック解除状態に設定するロックモード設定部と、を備え、前記通信部は、前記通話処理部が通話着信を受け付けたとき、前記ロックモード設定部によって当該電話装置がロック状態に設定されていれば、前記外部着信応答機器に前記通話着信に応答させるための制御信号を送信する。
【０００８】
この構成により、電話装置に備わる機能を制限するロック機能（操作キーによる入力を受け付けないようにする機能や、携帯電話事業者による課金が生じる機能の利用に制限をかける機能や、マナーモード機能と称される、携帯電話装置による音出力を制限する機能、ドライブモードと称される、着信報知に対して何らかの制限をする機能、キーロック機能と称される携帯電話装置の操作を制限する機能、オートロック機能と称される携帯電話装置の操作や動作を制限する機能など）によって電話装置がロック状態にある場合、つまり、電話装置に対する通話着信に対して利用者がこの電話装置を利用して応答する意図が無いと推定される場合、ハンズフリー装置等の外部着信応答機器にのみこの通話着信に対して応答させることができるため、利用者が利用する意図がない電話装置に不要な着信報知がなることがない。
【０００９】
また、本発明にかかる電話装置は、当該電話装置への通話着信を受け付けたことを報知する報知部を備え、前記報知部は、前記通話処理部が通話着信を受け付けたとき、前記ロックモード設定部によって当該電話装置がロック解除状態に設定されていれば、前記通話着信を受け付けたことを報知する。
【００１０】
この構成により、電話装置に備わる機能を制限するロック機能によって電話装置がロック状態にない場合、つまり、電話装置に対する通話着信に対して利用者がこの電話装置を利用して応答する意図が有ると推定される場合、電話装置にのみこの通話着信に対して応答させることができるため、利用者が利用する意図がない外部着信応答機器に不要な着信報知がなることがない。
【００１１】
また、本発明にかかる電話装置は、当該電話装置への通話着信を受け付けたことを報知する報知部を備え、前記報知部は、前記通話処理部によって通話着信を受け付けたとき、前記ロックモード設定部によって当該電話装置がロック状態に設定されていれば、前記通話着信を受け付けたことを報知し、前記通話処理部は、前記ロックモード設定部によって当該電話装置がロック解除状態に設定された後に通話着信に対する応答処理を実行する。
【００１２】
この構成により、電話装置に備わる機能を制限するロック機能によって電話装置がロック状態にある場合、つまり、電話装置に対する通話着信に対して利用者がこの電話装置を利用して応答する意図が無いと推定される場合であっても、このロック機能を解除するための処理（例えば、利用者による携帯電話装置への暗証番号、生体識別情報の照合処理や、スマートキーによる認証処理）を実行した後には、この通話着信に対して電話装置によって応答することができる。
【００１３】
また、本発明にかかる電話装置は、音情報を音出力する音出力部を備え、前記通話処理部が、前記外部着信応答機器に応答させた前記通話着信により特定される音情報を前記音出力部に出力し、前記音出力部が、前記通話処理部により入力した前記音情報を出力する。
【００１４】
この構成により、外部着信応答機器と電話装置の両方でに通話中の音声を出力させることができ、その結果、外部着信応答機器と電話装置のいずれか一方を少なくとも保持している利用者は、いつでも通話内容を確認することができる。
【００１５】
本発明にかかる外部着信応答機器は、本発明にかかる電話装置と通信する通信部と、前記電話装置への通話着信を当該電話装置が受け付けたことを報知する報知部と、前記報知部による報知を制御する制御部と、を備え、前記制御部が、前記通信部が前記電話装置から前記制御信号を受信すると、前記報知部に報知させる、ものである。
【００１６】
この構成により、電話装置に備わる機能を制限するロック機能（操作キーによる入力を受け付けないようにする機能や、携帯電話事業者による課金が生じる機能の利用に制限をかける機能や、マナーモード機能と称される、携帯電話装置による音出力を制限する機能、ドライブモードと称される、着信報知に対して何らかの制限をする機能、キーロック機能と称される携帯電話装置の操作を制限する機能、オートロック機能と称される携帯電話装置の操作や動作を制限する機能など）によって電話装置がロック状態にある場合、つまり、電話装置に対する通話着信に対して利用者がこの電話装置を利用して応答する意図が無いと推定される場合、ハンズフリー装置等の外部着信応答機器にのみこの通話着信に対して応答させることができるため、利用者が利用する意図がない電話装置に不要な着信報知がなることがない。
【発明の効果】
【００１７】
本発明は、通話処理部が通話着信を受け付けたとき、前記ロックモード設定部によって当該電話装置がロック状態に設定されていれば、通信部から前記外部着信応答機器に前記通話着信に応答させるための制御信号を送信するようにした。このことにより、電話装置に備わる機能を制限するロック機能によって電話装置がロック状態にある場合、つまり、電話装置に対する通話着信に対して利用者がこの電話装置を利用して応答する意図が無いと推定される場合、ハンズフリー装置等の外部着信応答機器にのみこの通話着信に対して応答させることができるため、利用者が利用する意図がない電話装置に不要な着信報知がなされないという効果が得られる。
【発明を実施するための最良の形態】
【００１８】
以下、本発明の実施の形態の電話装置の一つの例として携帯電話装置をあげて説明する。本発明の実施の形態の携帯電話装置について、図面を参照しながら説明する。図１は、本発明の携帯電話装置１１を含む通信システム全体の概略を示すブロック図である。
【００１９】
携帯電話装置１１は、制御部１２と、通話処理部１３と、音声切替部１４と、通信部１５と、ロックモード設定部１６と、キーパッド１７と、ディスプレイ１８と、報知部１９と、を有する。
【００２０】
これらのうち、通話処理部１３は、電話網２２を介して他の電話機（例えば、携帯電話装置）２３との音声通話を実施するための処理、特に、携帯電話装置１１への電話着信を受け付けるものである。
【００２１】
音声切替部１４は、送話音声を入力するマイクロフォン２０および受話音声を出力するスピーカ２１を通話処理部１３および通信部１５へ切替接続するものである。
【００２２】
通信部１５は、外部着信応答機器としてのハンズフリー装置３１との間でＢｌｕｅｔｏｏｔｈの通信規格に準拠した短距離無線通信を行うものである。
【００２３】
ロックモード設定部１６は、携帯電話装置１１をロック状態またはロック解除状態に設定するものである。携帯電話装置１１をロック状態にするとは、例えば、携帯電話装置１１のキーパッド１７からの入力を受け付けなくしたり、携帯電話装置１１の電源をオフにしたり、一部の機能（個人情報を閲覧、編集できるような電話帳機能や、発着信履歴の表示など）の利用を制限したり、など様々な状態が考えられるが、本発明の携帯電話装置１１をロック状態にするとは、少なくとも携帯電話装置１１自体による着信応答を規制することを指す。
【００２４】
キーパッド１７は、通話開始のための通話開始キー、通話終了のための通話終了キー、電話番号入力のための「０」〜「９」の数字キーなどの各種のキーを配設したものである。
【００２５】
ディスプレイ１８は、発信者の電話番号や各種メッセージを表示するものである。また、制御部１２は、携帯電話装置１１内の各構成部分の動作を制御するものである。
【００２６】
一方、ハンズフリー装置３１は、制御部３２と、音声切替部３３と、通信部３４と、を有する。これらのうち、音声切替部３２は送信音声を入力するマイクロフォン３５および受話音声を出力するスピーカ３６を通信部３４へ切替接続するものである。
【００２７】
通信部３４は、携帯電話装置１１との間で、Ｂｌｕｅｔｏｏｔｈの通信規格に準拠した近距離通信を行うものである。
【００２８】
携帯電話装置３１およびハンズフリー装置３１を含む構成により、携帯電話装置１１およびハンズフリー装置３１のうち、携帯電話装置１１に対するロック状態またはロック解除状態の制御により、着信報知をする必要がある装置のみに、着信報知を行わせるという動作を実行する。詳細な処理については後述する。
【００２９】
また、制御部１２が通話処理部１３に行わせる通信処理には、携帯電話装置１１が他の携帯電話装置２１との間で電話網２２を通じて行う通話を、ハンズフリー装置３１を用いずに携帯電話装置１１を用いて行う処理（制御部１２が、通話処理部１３により受信した受話音声をスピーカ２１に音出力させ、一方、マイクロフォン２０により入力した音を通話処理部１３に送話音声として送信させる処理）と、ハンズフリー装置３１を用いて行う処理と（制御部１２が、通話処理部１３により受信した受話音声を通信部１５にハンズフリー装置３１へ送信させ、一方、通信部１５によりハンズフリー装置３１から受信した音情報を通話処理部１３に送話音声として送信させる処理）の両方がある。制御部１２は、ロックモード設定部１６によるロック状態およびロック解除状態によって、そのいずれかの処理が実行される。
【００３０】
従って、ロックモード設定部１６が携帯電話装置１１をロック状態に設定した場合には、制御部１２は、ハンズフリー装置３１等の外部着信応答機器にのみ通話着信に対して応答させる。このため、利用者がキーパッド１７によりロック状態に設定する操作を行って携帯電話装置１１をロック状態に設定しておけば、利用する意図がない携帯電話装置に不要な着信報知がなされることがない。
【００３１】
一方、ロックモード設定部１６が携帯電話装置１１をロック解除状態に設定した場合には、制御部１２は、携帯電話装置１１にのみ通話着信に対して応答させる。このため、利用者がキーパッド１７によってロック解除状態に設定する操作を行って携帯電話装置１１をロック解除状態に設定しておけば、利用する意図がない外部着信応答機器に不要な着信報知がなされることがない。
【００３２】
次に、携帯電話装置１１およびハンズフリー装置による通話処理について、図２および図３のフローチャートを参照しながら説明する。図２のフローチャートのは、本発明の実施の形態の携帯電話装置による処理フローを、図３は本発明の実施の形態のハンズフリー装置による処理フローを記載している。
【００３３】
携帯電話装置１１による通話処理では、まず、携帯電話装置１１は、キーパッド１７によって利用者から受け付けたロック状態あるいはロック解除状態に設定するための操作を受け付ける（ステップＳ１０）。携帯電話装置１１は、受け付けたその操作に応じて、携帯電話装置１１をロック状態に切り替えるか、あるいはロック解除状態に切り替えるかを判定する（ステップＳ１１）。携帯電話装置１１は、ロック状態に設定する操作を受け付けている場合（ステップＳ１１、ＹＥＳ）には携帯電話装置１１をロック状態に設定し（ステップＳ１２ａ）、ロック解除状態に設定する操作を受け付けている場合（ステップＳ１１、ＮＯ）には携帯電話装置１１をロック解除状態に設定する（ステップＳ１２ｂ）。
【００３４】
その後、携帯電話１１は、携帯電話装置１１に他の携帯電話装置２３から着信があった場合には（ステップＳ１３）、携帯電話装置１１が設定されているロック状態あるいはロック解除状態に応じて、外部着信応答機器であるハンズフリー装置３１に着信させるかを否かを判定する（ステップＳ１４）。携帯電話装置１１は、ロック解除状態に設定されており、ハンズフリー装置３１ではなく携帯電話装置１１に着信させると判定した場合には（ステップＳ１４、ＹＥＳ）、当該携帯電話装置１１での着信動作を実行する（ステップＳ１５）。
【００３５】
携帯電話装置１１は、着信動作を行った後、その着信動作に応答する操作をキーパッド１７による受け付けると（ステップＳ１６、ＹＥＳ）、携帯電話装置１１による通話処理を行う（ステップＳ１９）。一方、携帯電話装置１１は、着信動作を行った後、その着信動作に応答する操作を着信動作中キーパッド１７により受け付けつけない場合（ステップＳ１６、ＮＯ）、携帯電話装置１１による通話処理を行わず、ステップＳ１３に戻って他の携帯電話装置２３からの着信を再度待ち受けることになる。
【００３６】
一方、携帯電話装置１１は、ステップＳ１４の処理のおいて、ロック状態に設定されておりハンズフリー装置３１に着信させると判定した場合には（ステップＳ１４、ＮＯ）、ハンズフリー装置３１に着信応答させる指示を当該ハンズフリー装置３１に送信する（「Ａ」に向けて指し示す点線により、図３のフローチャートへ推移）。さらに、携帯電話装置１１は、ロック状態を解除することを促す画面（ロック状態解除画面）をディスプレイ１８に表示させ（ステップＳ１７）、ロック状態からロック解除状態に切り替える操作をキーパッド１７により入力されることを待ち受ける（ステップＳ１８）。ロック状態からロック解除状態に切り替える操作の一例としては、予め設定された複数桁のパスワードをキーパッド１７により受け付けるものが挙げられる。携帯電話装置１１は、パスワードが入力され、かつそのパスワードが予め設定されたものと一致したときは（ステップＳ１８、ＹＥＳ）、ロック状態を解除してロック解除状態に携帯電話装置１１を設定し、携帯電話装置１１による通話処理を行う（ステップＳ１９）、さらに、携帯電話装置１１は、そのパスワードが予め設定されたものと一致したときは（ステップＳ１８、ＹＥＳ）、ハンズフリー装置３１にパスワードの入力があった旨を通知する（「Ｂ」に向けて指し示す点線により、図３のフローチャートへ推移）。携帯電話装置１１は、通話が終了した後は（ステップＳ２０、ＹＥＳ）、ステップＳ１３以降の処理を繰り返すことになる。
【００３７】
ところで、ハンズフリー装置３１は、ステップＳ１４の処理を行った携帯電話装置１１から、当該ハンズフリー装置３１に着信応答させる指示を受信すると（ステップＳ２１）、当該ハンズフリー装置３１での着信動作を行う（ステップＳ２２）。次に、ハンズフリー装置３１は、携帯電話装置１１からパスワードの入力があった旨を知らせる通知の有無に応じて、ハンズフリー装置３１側で着信応答を許可するか否かを判定し（ステップＳ２３）、携帯電話装置１１からパスワードの入力があったことが通知されていない場合には（ステップＳ２３、ＮＯ）、ハンズフリー装置３１側で所定の通話処理を実行する（ステップＳ２４）。ハンズフリー装置３１は、通話処理を実行した後、携帯電話装置１１からパスワードの入力があったことが通知されていない期間中は、当該ハンズフリー装置３１による通話処理をその通話が終了するまで継続する（ステップＳ２６、ＮＯ）。
【００３８】
一方、ハンズフリー装置３１は、携帯電話装置１１からパスワード入力があったことが通知された場合には（ステップＳ２３、ＹＥＳ）、当該ハンズフリー装置３１による通話処理を実行していない旨、あるいは、ハンズフリー装置３１による通話処理中にパスワード入力があったことが通知された場合には当該ハンズフリー装置３１による通話処理を停止した旨、を通知して携帯電話装置１１に応答し（「Ｃ」に向けて指し示す点線により、図２のフローチャートへ推移）、ステップＳ２４以降の通話処理を実行せずステップＳ２１の処理にもどり、ロック状態からロック解除状態に切り替えられた携帯電話装置１１が通話処理を行うことになる（ステップＳ１９）。
【００３９】
ハンズフリー装置３１は、当該ハンズフリー装置３１による通話処理期間中に、当該ハンズフリー装置３１により音出力されている通話時の音声を携帯電話装置１１側のスピーカからも出力することができるように、通信部３４を介して携帯電話装置１１に擬似通話処理の指示を出す（ステップＳ２５）。そして、擬似通話処理の指示を受け付けた携帯電話装置１１の制御部１２が、通話処理部１３により受信した受話音声を通信部１５にハンズフリー装置３１へ送信させるとともに、通話処理部１３により受信した受話音声をスピーカ２１に音出力させるようにすることもできる。この構成により、ハンズフリー装置３１と携帯電話装置１１の両方でに通話中の音声を出力させることができ、その結果、ハンズフリー装置３１と携帯電話装置１１のいずれか一方を少なくとも保持している利用者は、いつでも通話内容を確認することができる。ハンズフリー装置３１は、当該ハンズフリー装置３１による通話処理が終了するまで、ステップＳ２３以降の処理を繰り返し、通話が終了した場合には（ステップＳ２６）、ステップＳ２１の処理を再び実行する。
【００４０】
このように、本発明の実施の形態によれば、携帯電話装置１１およびハンズフリー装置３１のうち、着信報知する必要がある装置のみに、着信報知を行わせることができる。
【００４１】
従って、ロック状態を、例えば、子供による携帯電話装置１１の誤操作を防止するモード（チャイルドロック）とした場合には、このチャイルドロック中の着信動作では、Ｂｌｕｅｔｏｏｔｈのように無線で接続されるハンズフリー装置３１でのみ着信応答を可能にする。そして、チャイルドロック期間中に着信した場合には、着信音をハンズフリー装置３１でのみ鳴動させ、携帯電話装置１１での応答は無効にすることができる。
【００４２】
また、ハンズフリー装置３１による着信動作中あるいは通話処理中は、携帯電話装置１１は顔認証やパスワードとしての暗証番号入力などのロック解除画面を表示しており、例えばパスワードの入力により、チャイルドロックが解除された場合に限り、携帯電話装置１１でのその着信動作に対する応答やハンズフリー装置３１から携帯電話装置１１への通話の切替を可能にする。このため、ハンズフリー装置３１の未知の切断処理や子供が使用していない場合には、携帯電話装置１１側での応答が可能となる。
【００４３】
なお、チャイルドロック中のハンズフリー装置３１での通話中、携帯電話装置１１は、ハンズフリー装置３１が音出力している同内容を携帯電話装置１１のスピーカ２１から音出力することで、例えば、子供がハンズフリー装置３１で入力される母親の声を携帯電話装置１１側で聞くことができるため、子供を安心させることができる。
【００４４】
このように、本発明の実施の形態によれば、通話処理部１３が通話着信を受け付けたとき、ロックモード設定部１６によって携帯電話装置１１がロック状態に設定されていれば、通信部１５から外部着信応答機器であるハンズフリー装置３１に通話着信に応答させるための制御信号を送信するように構成したことにより、携帯電話装置１１に備わる機能を制限するロック機能によって携帯電話装置１１がロック状態にある場合には、ハンズフリー装置３１にのみこの通話着信に対して応答させることができるため、利用者が利用する意図がない携帯電話装置１１に不要な着信報知がなされないという効果が得られる。
【００４５】
また、携帯電話装置１１は、携帯電話装置１１への通話着信を受け付けたことを報知する報知部１９を設け、通話処理部１３が通話着信を受け付けたときに当該携帯電話装置１１がロック状態に設定されていれば、報知部１９に通話着信を受け付けたことを報知させ、一方、携帯電話装置１１がロック状態からロック解除状態に切り替えられた後に、通話着信に対する応答処理を実行することができる。従って、携帯電話装置１１に備わる機能を制限するロック機能によって携帯電話装置１１がロック状態にある場合、つまり、携帯電話装置１１に対する通話着信に対して利用者がこの携帯電話装置１１を利用して応答する意図が無い場合であっても、このロック機能を解除するための処理（例えば、利用者による携帯電話装置１１への暗証番号、生体識別情報の照合処理や、スマートキーによる認証処理）を実行した後には、この通話着信に対して携帯電話装置１１によって応答することができる。
【００４６】
また、本発明の実施の形態によれば、携帯電話装置１１への通話着信を受け付けたことを報知する報知部１９を備え、通話処理部１３が通話着信を受け付けたとき、報知部１９は、ロックモード設定部１６によって携帯電話装置１１がロック状態に設定されていれば、通話着信を受け付けたことを報知し、通話処理部１１は、ロックモード設定部１６によって携帯電話装置１１がロック解除状態に設定された後に通話着信に対する応答処理を実行するようにしたことで、携帯電話装置１１に備わる機能を制限するロック機能によって携帯電話装置１１がロック状態にある場合、このロック機能を解除するための処理を実行した後には、この通話着信に対して携帯電話装置１１によって応答することができる。
【００４７】
なお、本発明の実施の形態では、ロック状態からロック解除状態へ携帯電話装置１１を切り替える処理を、ステップＳ１４、ステップＳ１７およびステップＳ１８の処理で説明したように、携帯電話装置１１への着信時に行うように説明した。しかし、本発明の実施の形態の携帯電話装置は、ロック状態からロック解除状態に切り替える操作（例えば、パスワードの入力）を受け付けた任意の時点で、ロック状態からロック解除状態へ携帯電話装置１１を切り替える処理を行うことも可能である。
【産業上の利用可能性】
【００４８】
以上のように、本発明の携帯電話装置は、携帯電話装置に備わる機能を制限するロック機能によって携帯電話装置がロック状態にあるとき、ハンズフリー装置等の外部着信応答機器にのみこの通話着信に対して応答させることができるため、利用者が利用する意図がない携帯電話装置に不要な着信報知がなされないという効果を有し、外部着信応答機器による音声通話が可能な携帯電話装置等に有用である。
【図面の簡単な説明】
【００４９】
【図１】本発明の実施の形態による携帯電話装置の概略構成を示すブロック図である。
【図２】本発明の実施の形態の携帯電話装置による処理の流れを示すフローチャート
【図３】本発明の実施の形態のハンズフリー装置による処理の流れを示すフローチャート
【符号の説明】
【００５０】
１１  携帯電話装置
１２  制御部
１３  通話処理部
１４  音声切替部
１５  通信部
１６  ロックモード設定部
１８  ディスプレイ
１９  報知部
２３  他の携帯電話装置
３１  ハンズフリー装置（外部着信応答機器）
【図１】
2008118510.tif 000003
【図２】
2008118510.tif 000004
【図３】
2008118510.tif 000005